(57)【特許請求の範囲】
【請求項１】
接離自在な固定電極と可動電極から構成されるスイッチ部と、前記可動電極に連なる可動軸に固定された可動コイルと、この可動コイルに対して上下方向にそれぞれに対向して配置された第１の固定コイルと第２の固定コイルと、これらコイルに対して励磁電流を流す電源と、前記スイッチを開閉極時に前記各コイル間に磁界の相互作用を生じさせるように前記電源から前記各コイルに対する励磁電流の通電方向を設定する通電方向設定手段と、を備え、
前記通電方向設定手段はスイッチ部の開極時に電源から前記可動コイルと前記第１の固定コイルに励磁電流を流すとき、前記可動コイルと前記第１の固定コイル間に磁気反発力が発生するように前記電源から前記各コイルへの通電方向を設定し、且つ、スイッチ部の閉極時に前記可動コイルと前記第２の固定コイルに励磁電流を流すとき、前記可動コイルと前記第２の固定コイル間に磁気反発力が発生するように前記電源から前記各コイルへの通電方向を設定することを特徴とする開閉装置。
【請求項２】
第１の固定コイルと可動コイルへの通電時に、第２の固定コイルへの電流流入を阻止する第１の阻止手段と、第２の固定コイルと前記可動コイルへの通電時に、前記第１の固定コイルへの電流流入を阻止する第２の阻止手段とを備えたことを特徴とする請求項１に記載の開閉装置。
【請求項３】
接離自在な固定電極と可動電極から構成されるスイッチ部と、前記可動電極に連なる可動軸に固定された可動コイルと、この可動コイルに対して対向して配置された固定コイルと、これらコイルに対して励磁電流を流す電源と、前記スイッチを開閉極時に前記各コイル間に磁界の相互作用を生じさせるように前記電源から前記各コイルに対する励磁電流の通電方向を設定する通電方向設定手段とを備え、
前記通電方向設定手段はスイッチ部の開極時に電源から前記固定コイルと前記可動コイルに励磁電流を流すとき、前記可動コイルと前記固定コイル間に磁気反発力が発生するように前記電源からの前記各コイルへの通電方向を設定し、且つ、スイッチ部の閉極時に前記可動コイルと固定コイルに励磁電流を流すとき、前記可動コイルと前記固定コイル間に磁気吸引力が発生するように前記電源から前記各コイルへの通電方向を設定することを特徴とする開閉装置。
【請求項４】
各固定コイル、及び可動コイルは磁性体で覆われていることを特徴とする請求項１ないし３のいずれか１項に記載の開閉装置。
【発明の詳細な説明】
【０００１】
【発明の属する技術分野】
この発明は、接離自在な電極を有し、この電極が接触・隔離をすることによって、一対の電極の開極・投入の動作が行われる開閉装置に関するもので、特に、開閉装置の電磁反発駆動の効率化を図るものである。
【０００２】
【従来の技術】
図８は、例えば平成８年電気学会産業応用部門全国大会講演番号２６０「新型高速スイッチの開閉動作特性」に示されるような電磁反発力を利用した従来の開閉装置に類似したものである。
【０００３】
図８において、１は開閉動作を行うスイッチであり、２は反発部、３ａは反発部２に電流を誘起する開極用コイル、３ｂは反発部２に電流を誘起する閉極用コイル、４はスイッチ１の可動電極に連なる可動軸、５はスイッチ１を構成する可動電極、６も同じくスイッチ１を構成する固定電極、７は可動電極５、固定電極６のそれぞれに接続される端子、８ａ，８ｂは接圧投入バネ、９はスイッチ１に連動する補助スイッチである。反発部２、可動電極５は可動軸４に連通して固着されており、電極の軸心上に構成される。開極用コイル３ａ、閉極用コイル３ｂは図示しない磁界発生用電流源に接続されている。Ｓは可動軸４を摺動自在に連通し開極用コイル３ａと閉極用コイル３ｂを反発部２を介して対向させて支持する支持部材である。
なお、図８（ａ）は閉極状態を示す図であり、図８（ｂ）は開極状態を示す図である。
【０００４】
また、図９は接圧投入バネ８ａ、８ｂの荷重特性とそれらの合成荷重を示す図である。４０は接圧投入バネ８ａの荷重特性、４１は接圧投入バネ８ｂの荷重特性、４２は接圧投入バネ８ａ、８ｂの合成荷重である。
合成荷重４２が中間位置から閉極位置までのたわみ範囲で閉極方向に荷重が発生し、中間位置から開極位置までのたわみ範囲で開極方向に荷重が出るように、接圧投入バネ８ａ、８ｂを配置している。
【０００５】
次に開極動作について説明する。図８（ａ）に示す閉極状態において、磁界発生用電流源からパルス電流を開極用コイル３ａに流すと、磁界が発生する。これによって、開極用コイル３ａが発生する磁界と反対向きの磁界が発生するように反発部２に誘導電流が流れる。開極用コイル３ａが発生する磁界と反発部２が発生する磁界との相互作用によって、反発部２は開極用コイル３ａに対して電磁反発力を受ける。
【０００６】
この電磁反発力によって、反発部２に固着されている可動軸４及び可動電極５は反発方向に動作し、図９において、接圧投入バネ８ａは閉極位置から中間位置へたわみ量が変化するにつれて、荷重特性４２は減少し、中間位置を越えると、荷重特性４２は開極方向の荷重となり、たわみ量が開極位置になったところで、スイッチ１は図８（ｂ）に示すように開極状態を保持する。
【０００７】
次に閉極動作について説明する。図８（ｂ）に示す開極状態において、パルス電流を閉極用コイル３ｂに流すと、磁界が発生する。これによって、反発部２に誘導電流が発生し、反発部２は閉極用コイル３ｂに対して電磁反発力を受ける。この電磁反発力によって、反発部２に固着されている可動軸４及び可動電極５は反発方向に動作し、図９において、接圧投入ばね８ｂは閉極位置から中間位置へたわみ量が変化するにつれて、荷重特性４２は増加し、中間位置を越えると、荷重特性４２は閉極方向の荷重となり、たわみ量が閉極位置になったところで、スイッチ１は図８（ａ）に示すように閉極状態となる。
【０００８】
【発明が解決しようとする課題】
（１）  従来の開閉装置は以上のように、誘導による反発部の発生磁界は、電気回路の直接電流供給による発生磁界に比べて小さくなるので、コイル発生磁界とその誘導による反発部の発生磁界との相互作用による電磁反発力は効率よく発生していなかった。また、発生磁界を大きくしようとするとコイルの巻線数を増やしたり、パルス電流出力を上げるため電源装置が大型化するなど装置全体が大規模になるという問題点があった。
【０００９】
この発明は上記のような問題点を解決するためになされたもので、開閉動作に要するエネルギーを小さくすると共に、駆動電源を小型化して装置全体を小型化することができる開閉装置を得ることを目的とする。
【００１０】
（２）  また、従来装置は、各コイルがそれぞれ反発部との磁界の相互作用による電磁反発により駆動の高効化を実現しているが、開極、閉極動作時にそれぞれのコイルに対する電源からパルス電流の供給を受ける必要があり、コストの面でも装置の小型化の面でも不利になるという問題点があった。
【００１１】
この発明の第２の目的は、電源の数を減らしてコストを抑えた開閉装置を得ることを目的とする。
【００１２】
【課題を解決するための手段】
この発明に係る開閉装置は、接離自在な固定電極と可動電極から構成されるスイッチ部と、前記可動電極に連なる可動軸に固定された可動コイルと、この可動コイルに対して上下方向にそれぞれに対向して配置された第１の固定コイルと第２の固定コイルと、これらコイルに対して励磁電流を流す電源と、前記スイッチ部の開閉極時に前記各コイル間に磁界の相互作用を生じさせるように前記電源から前記各コイルに対する励磁電流の通電方向を設定する通電方向設定手段とを備え、通電方向設定手段はスイッチ部の開極時に電源から前記可動コイルと第１の固定コイルに励磁電流を流すとき、前記可動コイルと前記第１の固定コイルとの間に磁気反発力が発生するように電源から前記各コイルへの通電方向を設定し、且つ、スイッチ部の閉極時に前記可動コイルと第２の固定コイルに励磁電流を流すとき、前記可動コイルと前記第２の固定コイルとの間に磁気反発力が発生するように電源から前記各コイルへの通電方向を設定するようにしたものである。
【００１４】
また、第１の固定コイルと可動コイルへの通電時に、第２の固定コイルへの電流流入を阻止する第１の阻止手段と、第２の固定コイルと前記可動コイルへの通電時に、前記第１へ固定コイルの電流流入を阻止する第２の阻止手段とを備えたものである。
【００１５】
また、別のこの発明に係る開閉装置は、可動コイルに対して固定コイルを対向して配置し、通電方向設定手段はスイッチ部の開極時に電源から前記固定コイルと前記可動コイルに励磁電流を流すとき、前記可動コイルと前記固定コイル間に磁気反発力が発生するように電源から各コイルへの通電方向を設定し、且つ、スイッチ部の閉極時に前記可動コイルと固定コイルに励磁電流を流すとき、前記可動コイルと前記固定コイル間に磁気吸引力が発生するように電源から各コイルへの通電方向を設定するものである。
【００１６】
また、各固定コイル、及び可動コイルは磁性体で覆われている。
【００１７】
【発明の実施の形態】
実施の形態１．
図１は、この発明の実施の形態１による開閉装置を示す構成図である。図において、１はスイッチであり、３ａは開極用コイル、３ｂは閉極用コイル、４は可動軸、５は可動電極、６は固定電極、７は端子、８ａ、８ｂは接圧投入バネ、９は補助スイッチ、Ｓは支持部材であり、これらの構成は従来装置と同一の構成である。１０は可動軸４に固着された本実施の形態で使用する可動コイルである。可動コイル１０は支持部材に支持された開極用コイル３ａと閉極用コイル３ｂ間に各コイル３ａ，３ｂに対向するように可動軸４に固着されている。
なお、図１（ａ）はスイッチの閉極状態を示す図であり、図１（ｂ）はスイッチの開極状態を示す図である。
【００１８】
また図２は、図１における開極用コイル３ａ、閉極用コイル３ｂ、可動コイル１０とそれらにパルス電流を供給する電源の結線の一例を示した図である。図２において、３ａは開極用コイル、３ｂは閉極用コイル、１０は可動コイル、１１ａは開極用電力貯蔵器、１１ｂは閉極用電力貯蔵器、１２ａは半導体素子からなる開極用放電スイッチ、１２ｂは同じく半導体素子からなる閉極用放電スイッチ、１３ａ，１３ｂはコイル間接続ダイオードである。Ｄ１は開極用コイル３ａに並列に接続され開極用コイル３ａに蓄積された電磁エネルギーを放出するダイオード、Ｄ２は可動コイル１０に並列に接続され可動コイル１０に蓄積された電磁エネルギーを放出するダイオード、Ｄ３は閉極用コイル３ｂに並列に接続され閉極用コイル３ｂに蓄積された電磁エネルギーを放出するダイオードである。
【００１９】
開極用コイル３ａと可動コイル１０は並列に接続され、開極用電力貯蔵器１１ａから開極用放電スイッチ１２ａを経てパルス電流が供給される。また、閉極用コイル３ｂと可動コイル１０も並列に接続され、閉極用電力貯蔵器１１ｂから閉極用放電スイッチ１２ｂを経てパルス電流が供給される。
【００２０】
コイル間接続ダイオード１３ａは開極用放電スイッチ１２ａから可動コイル１０へ結線される間に配置されるものである。コイル間接続ダイオード１３ｂは閉極用放電スイッチ１２ｂと可動コイル１０の間に配置されるものである。開極用電力貯蔵器１１ａ、閉極用電力貯蔵器１１ｂはコンデンサまたは電池などで構成され各コイルに励磁電流を供給するための電力を貯蔵するものである。
【００２１】
次に本実施の形態に係る開閉装置の接点開極動作について説明する。
図２において、開極用放電スイッチ１２ａをオンにすると、開極用電力貯蔵器１１ａから放電スイッチ１２ａ、開極用コイル３ａにパルス電流が流れて磁界が発生する。
【００２２】
開極用放電スイッチ１２ａをオンするとコイル間接続用ダイオード１３ａを通して可動コイル１０にもパルス電流が流れ、開極用コイル３ａに発生する磁界と逆方向の磁界が発生する。この結果、開極用コイル３ａと可動コイル１０にはお互い逆方向の磁界が発生して、可動コイル１０は磁界の相互作用で紙面下向きの電磁反発力を受ける。そして可動コイル１０に固着された可動軸４は下方に引き下げられスイッチ１の可動電極５と固定電極６は離れて図１におけるスイッチ１は開極する。
【００２３】
ここでパルス電流が遮断された後は、開極用コイル３ａに蓄積された電磁エネルギーはダイオードＤ１、開極用放電スイッチ１２ａを通して開極用コイル３ａを循環し徐々に減衰する。また、可動コイル１０に蓄積された電磁エネルギーはダイオードＤ２を通して可動コイル１０を循環し徐々に減衰する。
【００２４】
可動コイル１０の巻始めと閉極用コイル３ｂの巻始めとの間にコイル間接続ダイオード１３ｂが配置されているため、パルス電流は閉極用コイル３ｂに流れ込まないため、閉極用コイル３ｂと可動コイル１０との間には磁界の相互作用は発生しないので、開極動作は確実に行う。また、開極用電力貯蔵器１１ａがパルス電流を放電した後、コイル間接続ダイオード１３ａが閉極用電力貯蔵器１１ｂから電流が流れることを防ぐことができるため、開極動作を行った後の閉極動作を失敗なく行うことができる。
【００２５】
次にこの発明の接点閉極動作について説明する。閉極用放電スイッチ１２ｂをオンにすると、閉極用電力貯蔵器１１ｂから閉極用放電スイッチ１２ｂを通して閉極用コイル３ｂにパルス電流が流れて磁界が発生する。
【００２６】
閉極用放電スイッチ１２ｂをオンするとコイル間接続用ダイオード１３ｂを通して可動コイル１０にもパルス電流が流れ、閉極用コイル３ｂに発生する磁界と逆方向の磁界が発生する。この結果、開極用コイル３ａと可動コイル１０にはお互い逆方向の磁界が発生して、可動コイル１０は磁界の相互作用で紙面上向きの電磁反発力を受ける。そして可動コイル１０に固着された可動軸４は上方に引き上げられスイッチ１の可動電極５と固定電極６は接触し、図１におけるスイッチ１は閉極する。
【００２７】
パルス電流遮断後、閉極用コイル３ｂに蓄積された電磁エネルギーはダイオードＤ３、閉極用放電スイッチ１２ｂを通して閉極用コイル３ｂを循環し徐々に減衰する。また、可動コイル１０に蓄積された電磁エネルギーはダイオードＤ２を通して可動コイル１０を循環し徐々に減衰する。
【００２８】
また、閉極用電力貯蔵器１１ｂがパルス電流を放電した後、コイル間接続ダイオード１３ｂが開極用電力貯蔵器１１ａから閉極用電力貯蔵器１１ｂに電流が流れることを防ぐことができるため、閉極動作を行った後、開極動作を失敗なく行うことができる。
【００２９】
実施の形態２．
上記実施の形態１では、可動コイル１０の巻始めと閉極用コイル３ｂの巻始めとの間にコイル間接続ダイオード１３ｂを配置し、開極時に閉極用電力貯蔵器１１ｂよりパルス電流が閉極用コイル３ｂに流れ込まないようにし、また可動コイル１０の巻始めと開極用コイル３ａの巻始めとの間にコイル間接続ダイオード１３ａを配置し、閉極時に開極用電力貯蔵器１１ａよりパルス電流が開極用コイル３ａに流れ込まないようにした。
【００３０】
本実施の形態では、図３に示すようには、コイル接続用ダイオード１３ａ，１３ｂに代えて、コイル間接続スイッチ１３ｃ，１３ｄを配置する。この構成により、開極動作をする場合は、コイル間接続スイッチ１３ｃはオン、コイル間接続スイッチ１３をオフにする。閉極動作をする場合は、コイル間接続スイッチ１３ｃはオフ、コイル間接続スイッチ１３をオンにする。
【００３１】
コイル間接続スイッチ１３ｃ，１３ｄを設けることにより、コイル間接続ダイオード１３ａ，１３ｂと同様に閉極或いは開極動作に不要なコイルに電流が流れ込んだりすることや、未放電の電力貯蔵器から放電直後の電力貯蔵器に電流が流れ込むを防ぐ。コイル間接続スイッチ１３ｃ，１３ｄは図１にある補助スイッチ９それ自身であるか、または補助スイッチ９と電子回路によって連動され、開極動作時にはコイル間接続スイッチ１３ｃをオン、コイル間接続スイッチ１３をはオフとし、閉極動作時にはコイル間接続スイッチ１３ｃをオフ、コイル間接続スイッチ１３をオンとすることで開閉動作の信頼性が向上する。
【００３２】
実施の形態３．
また、図４は図１における開極用コイル３ａ、閉極用コイル３ｂ、可動コイル１０とそれらにパルス電流を供給する電源の結線の一例を示した図である。図において、３ａは開極用コイル、３ｂは閉極用コイル、１０は可動コイル、１１ａは開極用電力貯蔵器、１１ｂは閉極用電力貯蔵器、１２ａは開極用放電スイッチ、２ｂは閉極用放電スイッチ、１３ｃ，１３ｄはコイル間接続スイッチである。
【００３３】
本実施の形態は実施の形態１，２とは構成が異なり、図４に示すように開極用コイル３ａと可動コイル１０は直列に接続され、開極用電力貯蔵器１１ａから開極用放電スイッチ１２ａを経てパルス電流が供給される。また、閉極用コイル３ｂと可動コイル１０は直列に接続され、閉極用電力貯蔵器１１ｂから閉極用放電スイッチ１２ｂを経てパルス電流が供給される。
【００３４】
コイル間接続スイッチ１３ｃは開極用コイル３ａと可動コイル１０の間に配置されるものである。コイル間接続スイッチ１３ｄは閉極用コイル３ｂと可動コイル１０の間に配置されるものである。コイル間接続スイッチ１３ｃ，１３ｄは図１にある補助スイッチ９それ自身であるかまたは補助スイッチ９と電子回路によって連動されていれば開閉動作の信頼性が向上する。即ち、開極時にはコイル間接続スイッチ１３ｃをオン，コイル間接続スイッチ１３ｄをオフにし、閉極時にはコイル間接続スイッチ１３ｃをオフ，コイル間接続スイッチ１３ｄをオンとする。
【００３５】
次に本実施の形態における接点開極動作について説明する。
図４において、開極用放電スイッチ１２ａをオンにすると、開極用電力貯蔵器１１ａから開極用コイル３ａと可動コイル１０にパルス電流が流れることにより、開極用コイル３ａと可動コイル１０にはお互い逆方向の磁界が発生して、可動コイル１０は磁界の相互作用で紙面下向きの電磁反発力を受ける。後は従来例と同様な動作を行って、図１におけるスイッチ１は開極する。
【００３６】
このときコイル間接続スイッチ１３ｄがオフされていることにより、パルス電流は閉極用コイル３ｂに流れ込まず閉極用コイル３ｂと可動コイル１０間に電磁相互作用は発生しないため、開極動作は確実に行う行うことができる。尚、パルス電流の通電を遮断した後、開極用コイル３ａと可動コイル１０に蓄積された電磁エネルギーはダイオードＤ４を通して開極用コイル３ａと可動コイル１０を循環して徐々に減衰する。
【００３７】
次にこの発明の接点閉極動作について説明する。
図４において、閉極用放電スイッチ１２ｂをオンにすると、閉極用電力貯蔵器１１ｂから閉極用コイル３ｂと可動コイル１０にパルス電流が流れることにより、閉極用コイル３ｂと可動コイル１０にはお互い逆方向の磁界が発生して、可動コイル１０は磁界の相互作用で紙面上向きの電磁反発力を受ける。後は従来例と同様な動作を行って、図１におけるスイッチ１は閉極する。このときコイル間接続スイッチ１３ｃが配置されることにより、パルス電流は開極用コイル３ａに流れ込まず開極用コイル３ａと可動コイル１０との間に磁界の相互作用は発生しないため、開極動作は確実に行う。
【００３８】
また、コイル間接続スイッチ１３ｃをオフにすることで、閉極用電力貯蔵器１１ｂがパルス電流を放電した後に開極用電力貯蔵器１１ａから閉極用電力貯蔵器１１ｂに電流が流れることを防ぐことができるため閉極動作を行った後の開極動作を失敗なく行うことができる。尚、パルス電流の通電を遮断した後、閉極用コイル３ｂと可動コイル１０に蓄積された電磁エネルギーはダイオードＤ５を通して閉極用コイル３ｂと可動コイル１０を循環し、徐々に減衰する。
【００３９】
実施の形態４．
上記実施の形態では可動軸４を連通して可動電極５の上下それぞれに開極用コイル３ａと閉極用コイル３ｂを配置したが、本実施の形態では固定コイルと磁界の相互作用を受ける可動コイルのみを備える。図５は、本実施の形態に係る開閉装置を示す構成図である。図において、１はスイッチであり、４は可動軸、５は可動電極、６は固定電極、７は端子、８ａ，８ｂは接圧投入バネ、９は座板、１０は可動コイルであり、以上は実施の形態１と同一の構成である。また、１４は本実施の形態で使用する、固定コイルである。なお、図５（ａ）はスイッチの閉極状態を示す図であり、一方図５（ｂ）はスイッチの開極状態を示す図である。
【００４０】
また図６は、図５における可動コイル１０、固定コイル１４とそれらにパルス電流を供給する電源の結線の一例を示した図である。１０は可動コイル、１４は固定コイル、１１ａは開極用電力貯蔵器、１１ｂは閉極用電力貯蔵器、１２ａは開極用放電スイッチ、１２ｂは閉極用放電スイッチ、１３ｃはコイル間接続スイッチ、１３ｅ，１３ｆは切り替えスイッチである。
【００４１】
可動コイル１０と固定コイル１４は並列に接続され、開極用電力貯蔵器１１ａ、閉極用電力貯蔵器１１ｂから開極用放電スイッチ１２ａを経てパルス電流が供給される。コイル間接続スイッチ１３ｃは開極用放電スイッチ１２ａを経て開極用電力貯蔵器１１ａの負極側と可動コイル１０との間に配置されるものである。また、開極動作の場合、コイル間接続スイッチ１３ｃと切り替えスイッチ１３ｅをオン、切り替えスイッチ１３ｆをオフにする。閉極動作の場合、コイル間接続スイッチ１３ｃと切り替えスイッチ１３ｅをオフ、切り替えスイッチ１３ｆをオンにする。コイル間接続スイッチ１３ｃ、切り替えスイッチ１３ｅ，１３ｆは図５にある補助スイッチ９それ自身であるかまたは補助スイッチ９と電子回路によって連動されていれば、上記実施の形態同様に開閉動作の信頼性が向上する。
【００４２】
次に本実施の形態における接点開極動作について説明する。
図６において、放電スイッチ１２ａをオンにすると、開極用電力貯蔵器１１ａからコイル間接続スイッチ１３ｃを通して固定コイル１４と可動コイル１０にパルス電流が流れることにより、固定コイル１４と可動コイル１０にはお互い逆方向の磁界が発生して、可動コイル１０は固定コイル１４の磁界の相互作用で紙面下向きの電磁反発力を受け駆動軸４を引き下げる。後は従来例と同様な動作を行って、図５におけるスイッチ１は開極する。
【００４３】
このときコイル間接続スイッチ１３ｃと切り替えスイッチ１３ｅがオン、切り替えスイッチ１３ｆがオフになっていることにより、確実に固定コイル１４と可動コイル１０にはお互い逆方向の磁界が発生するようにパルス電流が流れる。開極用電力貯蔵器１１ａからのパルス電流が遮断された後は固定コイル１４に蓄積された電磁エネルギーは固定コイル１４に並列に接続されたダイオードＤ６を通してコイル１４を循環し、徐々に減衰する。また、可動コイル１０に蓄積された電磁エネルギーは可動コイル１０に並列に接続されたダイオードＤ７を通してコイル１０を循環し、徐々に減衰する。
【００４４】
次に本実施の形態に係る接点閉極動作について説明する。
図６において、閉極用放電スイッチ１２ｂをオンにすると、閉極用電力貯蔵器１１ｂから固定コイル１４と可動コイル１０に切り替えスイッチ１３ｆを通してパルス電流が流れることにより、固定コイル１４と可動コイル１０にはお互い同方向の磁界が発生して、固定コイル１４は可動コイル１０の磁界の相互作用で紙面上向きの電磁吸引を受けて可動コイル１０は固定コイル１４吸引され、駆動軸４を引き上げる。
【００４５】
後は従来例と同様な動作を行って、図５におけるスイッチ１は閉極する。このときコイル間接続スイッチ１３ｃと切り替えスイッチ１３ｅがオフ、切り替えスイッチ１３ｆがオンになっていることにより、確実に固定コイル１４と可動コイル１０にはお互い同方向の磁界が発生するようにパルス電流が流れる。開極用電力貯蔵器１１ｂからのパルス電流が遮断された後は固定コイル１４に蓄積された電磁エネルギーは固定コイル１４に並列に接続されたダイオードＤ６を通してコイル１４を循環し、徐々に減衰する。また、可動コイル１０に蓄積された電磁エネルギーは可動コイル１０に並列に接続されるダイオードＤ８を通してコイル１０を循環し、徐々に減衰する。
【００４６】
実施の形態５．
図７は、この発明の実施の形態１に係る開閉装置を改良した本実施の形態に係る開閉装置の模式図である。図において、１はスイッチであり、３ａは開極用コイル、３ｂは閉極用コイル、４は可動軸、１０は可動コイルである。また、１５は本実施の形態で使用する磁性体である。磁性体１５には常時磁性体、強磁性体などを用いる。磁性体１５は開極用コイル３ａ、閉極用コイル３ｂ、可動コイル１０の軸心の外周を覆うように配置する。このように配置すると、発生磁界が強くなり、開極用コイル３ａ、閉極用コイル３ｂ、可動コイル１０にパルス電流を供給する電源の必要な容量も小容量となる。また、このような配置は上記他の実施の形態にも有効なのは言うまでもない。
【００４７】
【発明の効果】
この発明によれば、接離自在な固定電極と可動電極から構成されるスイッチ部と、前記可動電極に連なる可動軸に固定された可動コイルと、この可動コイルに対向して配置された固定コイルと、これらコイルに対して励磁電流を流す電源と、前記各コイル間に磁界の相互作用を生じさせるように前記電源から前記各コイルに対する励磁電流の通電方向を設定する通電方向設定手段とを備え、２つのコイルに直接電流を供給することで電磁駆動を高効率化できると共に、開極用電源または閉極用電源の必要な容量を小容量にすることができるという効果がある。
【００４８】
また、可動コイルに対して上下方向に第１の固定コイルと第２の固定コイルを対向して配置し、通電方向設定手段はスイッチ部の開極時に電源から前記可動コイルと第１の固定コイルに励磁電流を流すとき、前記可動コイルと前記第１の固定コイルとの間に磁気反発力が発生するように電源から前記各コイルへの通電方向を設定し、且つ、スイッチ部の閉極時に前記可動コイルと第２の固定コイルに励磁電流を流すとき、前記可動コイルと前記第２の固定コイルとの間に磁気反発力が発生するように電源から前記各コイルへの通電方向を設定するようにしたので、コイル発生磁界とその誘導による発生磁界の相互作用による電磁反発力を効率よく発生させることができるという効果がある。
【００４９】
また、第１の固定コイルと可動コイルへの通電時に、第２の固定コイルへの電流流入を阻止する第１の阻止手段と、第２の固定コイルと前記可動コイルへの通電時に、前記第１へ固定コイルの電流流入を阻止する第２の阻止手段とを備えたので、動作が不要なコイルへの電流の流れ込みを抑え開閉動作に対する信頼性を向上させることができるという効果がある。
【００５０】
また、可動コイルに対して固定コイルを対向して配置し、通電方向設定手段はスイッチ部の開極時に電源から前記固定コイルと前記可動コイルに励磁電流を流すとき、前記可動コイルと前記固定コイル間に磁気反発力が発生するように電源から各コイルへの通電方向を設定し、且つ、スイッチ部の閉極時に前記可動コイルと固定コイルに励磁電流を流すとき、前記可動コイルと前記固定コイル間に磁気吸引力が発生するように電源から各コイルへの通電方向を設定するようにしたので、動作用コイルの数を削減し装置全体を小型化できるという効果がある。
【００５１】
また、各固定コイル、及び可動コイルを磁性体で覆ったことで、発生磁界が強くなるので、開極用または閉極用電源の必要な容量を小容量にすることができるという効果がある。
【図面の簡単な説明】
【図１】  この発明の実施の形態１による開閉装置を示す構成図である。
【図２】  この発明の実施の形態１で使用する図１における開極用コイル、閉極用コイル、可動コイルとそれらにパルス電流を供給する電源の結線の一例を示した図である。
【図３】  この発明の他の実施の形態で使用する図１における開極用コイル、閉極用コイル、可動コイルとそれらにパルス電流を供給する電源の結線の一例を示した図である。
【図４】  この発明の他の実施の形態で使用する図１における開極用コイル、閉極用コイル、可動コイルとそれらにパルス電流を供給する電源の結線の一例を示した図である。
【図５】  この発明の他の実施の形態による開閉装置を示す構成図である。
【図６】  この発明の他の実施の形態で使用する図５における可動コイル、固定コイルとそれらにパルス電流を供給する電源の結線の一例を示した図である。
【図７】  この発明の他の実施の形態による開閉装置を示す模式図である。
【図８】  従来の開閉装置を示す構成図である。
【図９】  従来の開閉装置に使用する設圧投入バネの荷重特性を示す図である。
【符号の説明】
１  スイッチ、２  反発部、３ａ  開極用コイル、３ｂ  閉極用コイル、４  可動軸、５  可動電極、６  固定電極、１０  可動コイル、１１ａ  開極用電力貯蔵器、１１ｂ  閉極用電力貯蔵器、１２ａ  開極用放電スイッチ、１２ｂ  閉極用放電スイッチ、１３，１３ａ，１３ｂ  コイル間接続ダイオード、１３，１３ｃ，１３ｄはコイル間接続スイッチ、１３，１３ｅ，１３ｆ  切り替えスイッチ、１４  固定コイル、１５  磁性体。
【図１】
0003778329.tif 000002
【図２】
0003778329.tif 000003
【図３】
0003778329.tif 000004
【図４】
0003778329.tif 000005
【図５】
0003778329.tif 000006
【図６】
0003778329.tif 000007
【図７】
0003778329.tif 000008
【図８】
0003778329.tif 000009
【図９】
0003778329.tif 000010